(57)【要約】    【課題】  第1に室内熱交換器の下流側にマウスリングを介して遠心式の室内ファンを配して成る一体形空気調和機おいて、騒音増大を解決することである。また、第2に室外ファンの下流側に室外熱交換器を配した空気調和機において、騒音増大とファンモータ入力増加を低減することである。    【解決手段】  圧縮機と、室外熱交換器と、室内熱交換器と、室内ファンと、室外ファンとを収納するユニットと、室内熱交換器と室内ファンの間にマウスリングを配置した一体形空気調和機において、マウスリングの外周に円弧状の板２を設置し、騒音低減を図った。また、ファンカバーなどの形状により吸込んだ空気を軸方向の下流側へ送風する遠心式ファンにおいて、ファンのシュラウド吸込み口内径に対してハブに接するブレード外径が小さくなる構造とした。【選択図】図５
2005241018.tif 000002
【特許請求の範囲】
【請求項１】
ユニット内に、圧縮機と、室外熱交換器と、室内熱交換器と、室内ファンと、室外ファンとを収納した一体形空気調和機において、前記室内ファン若しくは室外ファンの吸込口の周囲に設けられたマウスリングと、この室内ファン若しくは室外ファンの吸込口の外周の一部若しくは全部に設けられ、このマウスリングの盛り上がり高さより高い部分を有する板状部材とを備えた一体形空気調和機。
【請求項２】
請求項１において、前記板状部材はマウスリングの外周に設けられた円弧状の板状部材である一体形空気調和機。
【請求項３】
請求項１において、前記板状部材は、マウスリング上に立設されたリブである一体形空気調和機。
【請求項４】
ユニット内に、熱交換器と、ハブに複数のブレードを配置してこのブレードの反ハブ側にシュラウドを設けた遠心式ファンとを収納した一体形空気調和機において、前記遠心式ファンの軸方向に設けられた熱交換器と共に吐出空間を形成する仕切り板と、この仕切り板に設けられ、前記遠心式ファンの吸込口を形成するマウスリングとを備え、前記遠心式ファンを、前記シュラウド吸込み口内径よりも前記ハブに接するブレード外径を小さくした一体形空気調和機。
【請求項５】
請求項４において、前記熱交換器は室外熱交換器であり、前記遠心式ファンは室外ファンである一体形空気調和機。
【請求項６】
ユニット内に、圧縮機と、室外熱交換器と、室内熱交換器と、ハブに複数のブレードを配置してこのブレードの反ハブ側にシュラウドを設け、この室内熱交換器からの空気を吹出口に送風する遠心式室内ファンと、室外ファンとを収納した一体形空気調和機において、前記室内ファンを、前記シュラウド吸込み口内径よりも前記ハブに接するブレード外径を大きくした一体形空気調和機。
【発明の詳細な説明】
【技術分野】
【０００１】
本発明は、一体形空気調和機に関するものである。
【背景技術】
【０００２】
一般的に、一体形空気調和機は、ユニット前面から空気を吸い込み室内側熱交換器を介して、室内ファン吸い込み口側に至らしめる。室内ファンの吸込口側にはその周囲にケーシングに設けたマウスリングが設けられている。室内ファンの周囲から通風路に室内熱交換器で冷却した空気が吹き出され、ユニット前面から室内に吹き出すように構成されている。
【０００３】
特許文献１に記載された一体形空気調和機は、ユニット前面の正面に空気吸込口、その左右に空気吹出口が設けられている。そして、室内ファンから吐出された空気は、ユニット化粧枠の左右に設置した吹き出し口からユニット外へ吹き出される。左右の吹出口からの吹き出し風量は、左右均等量放出されるようにケーシングが構成されている。具体的には、室内ファンの左下と右上に凸型のノーズを設けることで吹き出し風量の均等化を図っている。
【０００４】
また、遠心式ファンの構造は、特許文献２に記載されているように、ハブと、このハブに立設された複数のブレードと、反ハブ側のブレード外周を覆い吸い込み口を形成するシュラウドとから構成されており、シュラウド内径に対してハブに接触するブレード外径は大きな構造をしていた。
【０００５】
【特許文献１】特開２００１−２２１４５７号公報
【０００６】
【特許文献２】特開２００２−６１５９７号公報
【発明の開示】
【発明が解決しようとする課題】
【０００７】
しかしながら、特許文献１に記載の一体形空気調和機は、原因が良く判らない流体音が発生し、ユニット前面で騒音が高くなるという問題があった。
【０００８】
また、室外ファンが、ユニットの周囲から吸い込んだ空気を吸い込み口から、軸方向の下流側に設置した室外熱交換器に吹き付ける構成で設置された場合、流体音が生じ、ユニット騒音が高くなる問題があった。このため、ブレードによる仕事量が増すので、ファンの駆動に必要な動力が増加してしまう。したがって、ファンモータの入力電力が高くなる結果となり、ユニットの消費電力が増加する問題があった。
【０００９】
本発明の第１の目的は、室内熱交換器の下流側にマウスリングを介して遠心式の室内ファンを配して成る一体形空気調和機おいて、騒音を低減することにある。
【００１０】
また、第２の目的は、室外ファンの下流側に室外熱交換器を配した空気調和機において、騒音を低減し、ファンモータ入力を低減した一体形空気調和機を提供することにある。
【００１１】
また、第３の目的は、室内ファンのファン効率を向上した一体形空気調和機を提供することにある。
【課題を解決するための手段】
【００１２】
前記第１の目的は、ユニット内に、圧縮機と、室外熱交換器と、室内熱交換器と、室内ファンと、室外ファンとを収納した一体形空気調和機において、前記室内ファン若しくは室外ファンの吸込口の周囲に設けられたマウスリングと、この室内ファン若しくは室外ファンの吸込口の外周の一部若しくは全部に設けられ、このマウスリングの盛り上がり高さより高い部分を有する板状部材とを備えることにより達成される。
【００１３】
前記第２の目的は、ユニット内に、熱交換器と、ハブに複数のブレードを配置してこのブレードの反ハブ側にシュラウドを設けた遠心式ファンとを収納した一体形空気調和機において、前記遠心式ファンの軸方向に設けられた熱交換器と共に吐出空間を形成する仕切り板と、この仕切り板に設けられ、前記遠心式ファンの吸込口を形成するマウスリングとを備え、前記遠心式ファンを、前記シュラウド吸込み口内径よりも前記ハブに接するブレード外径を小さくすることにより達成される。
【００１４】
前記第３の目的は、ユニット内に、圧縮機と、室外熱交換器と、室内熱交換器と、ハブに複数のブレードを配置してこのブレードの反ハブ側にシュラウドを設け、この室内熱交換器からの空気を吹出口に送風する遠心式室内ファンと、室外ファンとを収納した一体形空気調和機において、前記室内ファンを、前記シュラウド吸込み口内径よりも前記ハブに接するブレード外径を大きくすることにより達成される。
【発明の効果】
【００１５】
以上、本発明によれば、室内熱交換器の下流側にマウスリングを介して遠心式の室内ファンを配して成る一体形空気調和機おいて、騒音を低減することができる。
【００１６】
また、室外ファンの下流側に室外熱交換器を配した空気調和機において、騒音を低減し、ファンモータ入力を低減した一体形空気調和機を提供することができる。
【００１７】
また、室内ファンのファン効率を向上した一体形空気調和機を提供することができる。
【００１８】
なお、上記効果を達成する作用については、以下の説明から明らかになる。
【発明を実施するための最良の形態】
【００１９】
本発明の一実施例を図１乃至図６により用いて説明する。
【００２０】
本実施例に係る一体形空気調和機１００の平面図を図２に示す。一体形空気調和機１００は、室内側と室外側とに区分するため筐体１０１の内部に仕切板１０２が設けられている。室内側には、熱交換器１０３と、室内空気を吸込んで熱交換器１０３の熱交換を促す遠心式の室内ファン１０とが配設されており、室内ファン１０から吐出した空気を一体空気調和機１００の前面左右に設けられた吹出し口１０４へ導流するための風路２０が設けられている。この風路２０の前面側は、熱交換器１０３と室内ファン１０の間に吸込み側ケーシング２１によって構成されており、背面側は背面側ケーシング１９によって構成されている。吸込み側ケーシング２１の室内熱交換器１０３側の面にマウスリング１が配されている。マウスリング１の風路２０側には軸方向から空気を吸い込み、周方向に吹出す遠心式の室内ファン１０が配されている。室内ファン１０から一体型空気調和機１００の幅方向に吐出された空気は、前面から室内に吹出させるために９０度向きが変えられている。
【００２１】
風路２０には室内ファン１０が吐出した空気を左右に分配する目的で、図４の正面断面図に示すように、突起状のノーズ２２、２３が設けられている。
【００２２】
また、図２に戻り、マウスリング１の外周には図１に示すような構成でサクションリング２が装着されている。
【００２３】
室外側には、圧縮機１０５、熱交換器１０６、及び筐体の左右側面と天面に設けた外気取り入れ口１０７から外気を吸込んで熱交換器１０６の熱交換を促す遠心式の室外ファン３０が設けられている。室内と室外のファンはファンモータ１０８に連結されており、ファンモータ１０８が回転することにより両ファンが回転する。
【００２４】
圧縮機１０５と室内熱交換器１０３と室外熱交換器１０６は冷媒配管１０９で連結され、一連の冷凍サイクルを構成している。
【００２５】
一体形空気調和機１００の冷房運転時は、室内側熱交換器１０３で発生したドレン水が室外側の筐体底部に流出するようにドレン水流路（図示せず）が構成されている。
【００２６】
室外ファン３０の外周には図１１に示すようにスプラッシュリング３５が設置されており、室外側の筐体底部に貯水したドレン水を掻き揚げて霧状の水滴を発生させて室外熱交換器１０６に吹付け、室外熱交換器１０６の能力を向上させている。
【００２７】
次に、本発明の一実施例であるサクションリング２を室内ファン１０用に適用した例を図１に基づき説明する。マウスリング１は遠心式の室内ファン１０を収納した風路２０の吸込み口側の吸込み側ケーシング２１に設けられている。マウスリング１の一端は吸込み側ケーシング２１に取付けられ、他端は室内ファン１０のシュラウド１１の吸込み口に挿入されている。マウスリング１の外周には、プレートを円弧状に成型したサクションリング２が装着されている。サクションリング２はマウスリング１の全周を覆う必要は無く、必ずしも本実施例のようにＣ型形状（半円弧の板状のリブ）でなくても良く、マウスリング１の外周に曲がり部のない板状の部材（リブ）を設置しても良い。本実施例ではマウスリング１の上方半円部分に円弧状のサクションリング２を設置した例である。また、サクションリング２は、マウスリング１と別パーツとして風路２０の吸込み側ケーシング２１に装着してもよく、マウスリング１と一体成型したものを用いても良い。
【００２８】
サクションリング２の設置位置はマウスリング１の外形ＭＤ2以上にあることが望ましい（外形ＭＤ2より外側）。少なくとも、風路２０上部の凸型に成形されたノーズ２２と、風路２０下部に凸型に成形されたノーズ２３の範囲で、室内ファン１０の回転方向にノーズ２２からノーズ２１の範囲にサクションリング２が立設されている必要がある。
【００２９】
また、サクションリング２の高さＳＨは、マウスリング１の吸込み側ケーシング２１面からの高さＭＨ以上であることが望ましい。全てをマウスリング１の盛り上がり高さよりも高くする必要がなく、最も騒音低減に効く所を高くすれば足りる。
【００３０】
上記構造の一体形空気調和機において、室内ファン１０の作用を説明する。
【００３１】
従来の室内ファンの吸込口側にはサクションリング２は設けられていない。このため、原因不明の騒音が発生していた。現在のところ騒音が発生するメカニズムは詳しくは判明されていないが、空気流の可視化実験等により一つの有力な説を得るに至った。以下、説明する。
【００３２】
図２に示すように、室内ファン１０の軸中心は、一体型空気調和機の横幅の中心よりずれている。これは、圧縮機１０５を収納する関係上、圧縮機１０５が収納された空間から室内ファンの軸中心が遠ざかるようにずらされている。本体の正面左右に設けられた吹出し口１０４の吹出し風量を同じにするために、図４に示すように、ノーズ２２、２３の形状や高さが決められている。風路２０の左右でノーズの高さが異なるため、室内ファン１０から吹出された空気の通過断面積が左右で異なることとなり、同量の空気がケーシングの左右に流れる場合には通過断面積の小さい側の流速が速くなり、静圧が低下してしまう。このような原因で、室内ファン１０から吐出された気流速度がケーシングの左右で差を生じることになっていた。風呂２０の左右で気流速度に差が生じると、マウスリング１を通過した空気は気流速度が速く低圧となる風路２０側に吸引されることとなり、室内ファン１０吸込み口の中心部に吸込まれる気流と相対する流れができてしまいファン吸込み口で気流が乱れていた。この気流の乱れにより流体音が発生し、ユニット前面で騒音が高くなると考えられる。更に図１、図４及び図５を用いて詳細を説明する。
【００３３】
図１に示すように、遠心式の室内ファン１０が回転駆動されることにより室内の空気は、室内熱交換器１０３を通り抜けてマウスリング１内に吸込まれる。この時、軸方向からの主流と共に、マウスリング１の口径ＭＤ１の外周方向から吸込まれる空気は風路２０の壁面２１表面に沿って、更にファン軸方向に隆起した形状のマウスリング１の表面を沿うようにして室内ファン１０に吸込まれる。
【００３４】
図４の一体形空気調和機正面図に示すように室内ファン１０の回転により遠心方向に吐出した空気は風路２０の左右に分配される。風路２０には遠心式室内ファン１０の周方向から吐出された空気を左右に効率的に分配するために突如状のノーズ２１、２３が設けられている。風路２０のノーズ２３側の断面積Ａ１がノーズ２２側の断面積Ａ２に対してＡ１＜Ａ２の場合の例が示されている。ノーズ２３側の流速をｖ１、ノーズ２２側の流速をｖ２とし、室内ファン１０が左右の風路２０に吐出する風量Ｑが同量であるとする。このとき、流速ｖと風量Ｑ、断面積Ａの関係はｖ＝Ｑ/Ａであるからｖ１＞ｖ２である。風路２０の左右で空気の流速分布が異なると流速の速いノーズ２３側はノーズ２２側に対して静圧が低くなる。空気は圧力の低い方へ流れ易くなるため、マウスリング壁面を沿って流れる空気はノーズ２３側へ引き込まれることになる。
【００３５】
このことを図５を用いて説明する。図５は室内熱交換器側からマウスリング１で囲まれた吸込口を見た斜視図であり、マウスリング１の表面の空気の流れを示す図である。紙面向かって左の図がサクションリング２を設けていない図であり、右の図が本実施例に係るサクションリング２を設けた図である。左図のように、サクションリング２がない場合、室内ファン１０の回転に対して、ノーズ２３側の空気２００は制圧が低い風路２０内に吸引される際に、室内ファン１０の回転に逆らう流れが形成されていると考えられる。このように室内ファン１０の中心部へ吸込まれようとする気流と相対する気流がファン吸込み口で発生すると気流が乱れてしまい、この結果、流体音が発生する原因となり、騒音増加を招くことになったものと考えられる。
【００３６】
上記に示した空気の流れに対してサクションリング２を設置した場合の作用を図５の右図により説明する。
【００３７】
マウスリング１の外周にサクションリング２装着すると、室内から吸込んだ空気が吸込み側ケーシング２１の壁面表面に沿ってマウスリング１に吸込まれる際に、サクションリング２に衝突して、一端気流速度が低下した状態でマウスリング１を介して室内ファン１０の吸込み口に導かれる。本実施例に示すように、サクションリング２をマウスリング１の上方側に半円状（流速が速くなる風路２０のノーズ２２からノーズ２３にかけて円弧状）に設置することで、室内ファン１０の吸込み口でサクションリング２を通過した空気の気流速度が低下することになる。室内ファン１０は反時計回りに回転するため、本実施例の室内ファン１０は図４において反時計周りに回転し、風路２０のノーズ２２と２３の位置関係から、サクションリング２で覆った遠心式ファン１０上方側で吸込んだ空気の大半がノーズ２３側の風路２０に流れる。したがって、サクションリング２により周方向から表面を沿って吸い込まれる気流の速度を抑制することで、ノーズ２３側の風量を抑えｖ１≒ｖ２の関係となり、ケーシング内の左右で静圧が略等しくなる。図５右図に示すようにマウスリング壁面表面に沿って流れる空気が室内ファン１０の中心部に流れ、風向が一方向に統一され気流の乱れが無くなる。
【００３８】
このように気流の乱れにより発生する流体音が削減されることで、室内側の騒音が低下することになる。上記した説は仮説であり実際に騒音低減が図れるかどうか不明であるので、実際にサクションリング２の有無で室内側の騒音を比較したデータを図６に示した。同風量で比較するとサクションリング２が有の方が騒音は約１dB低い値を示している。このことから、一体形空気調和機１００の室内ファン１０用のマウスリング１にサクションリング２を装着することで室内側の騒音低減効果を得ることができる。
【００３９】
上記したサクションリングの構造は、図４に示す風路２０と室内ファン１０の構成であれば、少なくともノーズ２２から反時計方向へノーズの範囲内に庇状に設置（ノーズが設けられている風路の裏面に設置される）されていれば、室内ファン吸い込み口での気流乱れを抑制する作用を付与し、気流音が削減されるため、室内側の騒音低減効果が得られる。
【００４０】
なお、本実施例では、室内側の吹出口を２つ設けた一体形空気調和機について説明したが、１つであっても空気の流速が速い場合、上記同様にファン周方向からマウスリングの表面に沿ってファンに吸い込まれる空気流れのうち、ファン回転方向に逆らって流れ込み、騒音が発生する場合がある。また、吹出口を３つ以上（正面左右に加えて、正面下部に吹出口を設けた場合）も、流速が速い風路が生じることが予想され、この場合も騒音発生の原因となる。このような場合にも、本実施例に係るサクションリングは有効である。
【００４１】
次に、サクションリング２の変形例を図７を使用して説明する。
【００４２】
サクションリング２による室内騒音の低減効果は、図７に示すようなマウスリング３の形状でも同様の効果が得られる。図５のマウスリング３は、気流の流れを遮る形でマウスリング壁面表面に円弧状のリブ４を一体に射出成型したものである。リブ４は、図４に示すような反時計方向に回転する室内ファン１０の場合、少なくともノーズ２２から反時計方向にノーズ２３の範囲内に庇状に設置されていれば良い。本実施例のリブ４は、サクションリング２と同様にファン吸込み口を覆うようなＣ型形状となる。このリブ４によりファン吸込み口に流入する空気の速度を抑制し、風路２０内部の左右の気流速度を調節することが可能となり、結果的にサクションリング２の作用と同様にファン吸込み口における気流の乱れを抑制することが可能となり、室内騒音の低減効果を得ることができる。
【００４３】
なお、上記実施例ではいずれも円弧状のリブ形状のサクションリング２としたが、図５左図に示す表面流れ２００の流速を落とすために、この流れの上流に直線の板状のリブを設けても図５右図よりも騒音低減を図ることができる。
【００４４】
次に室外ファン３０の一実施例を図８を用いて説明する。
【００４５】
図８に示す一体形空気調和機１００は、室外ファン３０のマウスリング５にサクションリング２を適用したものである。室外側は、室外ファン３０の駆動により外気取り込み口１０７から空気を吸込み、ファンカバー１１０に固定したマウスリング５を通り抜けて室外ファン３０に吸込まれ、室外ファンから吐出した空気を室外熱交換器１０６に吹付けて室外に放出する。本実施例ではＬ字型の熱交換機を適用した例で示しているが、このように室外ファン３０の吐出し口左右で空気の通過断面積が異なることから、ファンからの吐出された気流速度が異なる。前述したように気流速度が速い低圧側へファン吸込み口の空気が引き込まれてしまうため、ファン中心部へ吸込まれる気流と相対し、気流の乱れを生じてしまい流体音が発生する。この流体音が室外側へ漏れ室外騒音に加算される。
【００４６】
マウスリング５の外周に図１に示すサクションリング２の装着で、サクションリング２を通り抜けた気流速度は低下して室外ファン３０の左右で吐出し気流の速度差を抑え、室外ファン３０から室外熱交換器１０６の空間における静圧分布を制御することでマウスリング５壁面を沿って流れる空気が室外ファン３０の中心部に流れ、風向が一方向に統一され気流の乱れが無くなる。この結果、気流の乱れにより生じる流体音の発生を削除でき、室外に漏れる騒音にファン吸込み口の流体音が加算されないことから室外騒音が低減する。
【００４７】
また、室外ファン３０用にサクションリング２を使用しない場合、図７に示すマウスリング３のようにリブ４を設けたマウスリングを設置しても良い。
【００４８】
図１に示したサクションリング２または図７に示したマウスリング３の適用方法は、次の３通りである。（１）室内側のファンのみに適用する。（２）室内側と室外側の各ファンに適用する。（３）室外側のファンのみに適用する。
【００４９】
次に室内外のファン形状に付き図９〜１１を用いて説明する。
【００５０】
図９において、室内ファン１０は回転中心部にファンモータ１０８の回転力を伝達するボス１２を有するハブ１３と、ハブ１３に一定間隔を置いて配置された複数のブレード１４と、ハブ１３の反対側に各ブレード１４に連結されたシュラウド１１で構成されている。ブレード１４の外径Ｄ２はシュラウド１１の最大外径Ｄ２ＳＬに対してＤ２ＳＬ≧Ｄ２としており、図に示すようにシュラウド１１側からハブ１３側へかけて吐出し流速分布の適正化のために途中で変極点１４ａを設けている。なお、変極点１４ａを設けずに、シュラウド１１側からハブ１３側へ向けて徐々に外径が小さくなる形状としても良い。但し、ハブ１３側のブレード外径Ｄ２Ｈはシュラウド１１の吸込み口内径Ｄ１Ｓに対して、Ｄ２Ｈ＞Ｄ１Ｓであり、ハブ外径ＤＨに対して、Ｄ２Ｈ＞ＤＨである。
【００５１】
図１０において、室外ファン３０は、回転中心部にファンモータ１０８からの回転力を伝達するボス３２を有するハブ３３と、ハブ３３に一定間隔を置いて配置された複数のブレード３４と、ハブ３３の反対側に各ブレード３４に連結されたシュラウド３１で構成されている。ブレード３４の外径Ｄ２はシュラウド３１の最大外径Ｄ２ＳＬに対してＤ２ＳＬ≧Ｄ２としており、図に示すようにシュラウド３１側からハブ３３側へかけて吐出し流速分布の適正化のために途中で変極点３４ａを設けている。変極点３４ａを設けずに、シュラウド３１側からハブ３３側へ向けて徐々に外径が小さくなる形状としても良い。但し、ハブ３３側のブレード外径Ｄ２Ｈはシュラウド３１の吸込み口内径Ｄ１Ｓに対して、Ｄ２Ｈ＞Ｄ１Ｓであり、ハブ外径ＤＨに対して、Ｄ２Ｈ＝ＤＨとする。
【００５２】
室外ファン３０は、室外側筐体底部に貯水したドレン水を掻き揚げて室外熱交換器１０６に吹付けるスプラッシュリング３５を装備しているが本実施例では、シュラウド３１外周にスプラッシュリング３５を装着した例を示している。スプラッシュリング３５は、シュラウド３１外径Ｄ２ＳＬの外周に環状に設置されている。
【００５３】
一般的な遠心式ファンの構造は、室内ファン１０の通りである。本実施例では、室内と室外で遠心式ファンでありながら異なるブレード形状のファンを用いた。
【００５４】
室外ファン３０は、室内ファン１０が吸込み側に熱交換器が設けられているのに対して、空気吐出側に熱交換器が設けられている。すなわち、吸込み空間と吐出空間とはファンカバー（仕切り板）１１０によって仕切られ、この吐出空間はファンカバー１１０と室外熱交換器１０６によって囲まれている（図示しないが天板と床板により上下方向がユニット内外を仕切っている）。そして、遠心式の室外ファン３０であるにも拘わらず、室外熱交換器１０６はこのファン軸方向にも存在する。このため、ファンの径方向に吐出された空気は、軸方向に向かう流れに強制されることとなる。なお、仕切り板であるファンカバー１１０にマウスリング５が設けられ、このマウスリング５が吸込口となるように室外ファン３０が配置されている。この点を詳細説明する。
【００５５】
室外ファン３０は、外気取り込み口１０７からマウスリング５を介して空気を吸込む。ファンに吸込まれた空気はファンの回転によりブレード３４の壁面を流れ遠心方向へ吐出される。遠心ファン３０から吐出された空気は室外熱交換器１０６に吹付けるため軸方へ吹付けることになる。軸方向への吹付けはファンカバー１１０の形状により風向を定めている。このためシュラウド３１付近から吐出した空気は軸方向へ強制的に風向が変えられることなる。
【００５６】
ここで、図９に示すような遠心式ファン構造の場合、ハブ側のブレード外径Ｄ２Ｈがハブ外径よりも大きいため、これを室外ファン３０として適用しようとすると、室外ファン３０の吹き出した空気が軸方向へ向かって流れると、ハブ側ブレード面で軸方向の流れをかき乱す仕事を生じさせるため、乱流による流体音の発生に伴う室外騒音の増加と、ブレード仕事量増加に伴うファンモータ１０８入力の増加となる。
【００５７】
このため、室外ファン３０を図１０に示すような室外ファン３０とした。すなわち、この室外ファン３０は、ハブ側ブレード外径Ｄ２Ｈとハブ外径ＤＨが等しいため、軸方向の流れに対して妨げとなるブレード面積が縮小されることになり、軸方向の気流をかき乱す要因が削減でき、同時にハブ側ブレード面の仕事量を低減できることから、流体音による騒音の削減とモータ入力の低減を図ることが可能となる。
【００５８】
ブレード３４の吐出し口の高さｂ２と、シュラウド３１から変極点３４ａまでの距離ｂ３の関係は０.２８＜ｂ３/ｂ２＜０.５８とすることが望ましい。
【００５９】
室外ファンの構造を室内ファン１０のタイプから室外ファン３０の構造に変更し、ｂ３/ｂ２＝０.２９とし、同風量で使用した場合、騒音が約３dB低減し、モータ入力が約３０％削減できた。
【００６０】
室内ファン１０は、遠心方向へ空気を吐出し、そのまま室内へ放出するため、室外ファン３０のようにブレード１４の面積が小さくなると空気の吐き出し量が低下することになる。室内ファン１０ファンと、室内ファン１０の構造を室外ファン３０の構造に変更したファンの性能を比較した結果、同一風量を得るのに室外ファン構造のファンでは回転数が７.３％上昇し、騒音が２.５dB増加してしまった。遠心式ファンの回転数nと騒音SLの関係はSL＝60log(n1/n2)であることから回転数上昇に伴い騒音も上昇する結果となった。したがって、室内ファン１０は、シュラウド吸込み口内径Ｄ１Ｓとハブ側ブレード外径Ｄ２Ｈの関係は、Ｄ１Ｓ＜Ｄ２Ｈであることが望ましい。
【００６１】
以上、本実施例によれば、室内側の騒音低減した一体形空気調和機を提供することができる。また、室外側の騒音低減とモータ入力を削減した一体形空気調和機を提供することができる。
【図面の簡単な説明】
【００６２】
【図１】サクションリングの構造を示す図。
【図２】一体形空気調和機上面断面図。
【図３】一体形空気調和機断面図。
【図４】一体形空気調和機正面断面図。
【図５】マウスリング周辺の風向を示す図。
【図６】サクションリングの騒音低減効果を示すグラフ。
【図７】マウスリングの構造を示す図。
【図８】一体形空気調和機上面断面図。
【図９】室内側遠心式ファンの構造を示した断面図。
【図１０】室外側遠心式ファンの構造を示した断面図。
【図１１】室外側遠心式ファンの構造を示す図。
【符号の説明】
【００６３】
１…マウスリング、２…サクションリング、４…リブ、１０…室内ファン、１１…シュラウド、１３…ハブ、１４…ブレード、２０…風路、３０…室外ファン、３５…スプラッシュリング、１００…一体形空気調和機、１０３…室内熱交換器、１０５…圧縮機、１０６…室外熱交換器。
【図１】
2005241018.tif 000003
【図２】
2005241018.tif 000004
【図３】
2005241018.tif 000005
【図４】
2005241018.tif 000006
【図５】
2005241018.tif 000007
【図６】
2005241018.tif 000008
【図７】
2005241018.tif 000009
【図８】
2005241018.tif 000010
【図９】
2005241018.tif 000011
【図１０】
2005241018.tif 000012
【図１１】
2005241018.tif 000013